(57)【要約】  本出願は、１つ又は複数の制御信号６を用いて少なくとも１つの発光デバイス４から放射される光を制御するように構成された照光制御装置２に関する。装置２は、光制御入力データ８が光制御入力デバイス３０を介して提供された時に、発光デバイス４へ送信するべき適切な制御信号６を決定するために、ユーザの生理又は認知状態に関連付けられたデータ１０を用いる。装置２は、強度及び色相の異なる組み合わせを提供する光のネットワークと併せて用いられる。同様に提示されるのは、１つ又は複数の制御信号６を用いて少なくとも１つの発光デバイス４から放射される光を制御するための方法１４である。
2018514912.tif 000002
【特許請求の範囲】
【請求項１】
少なくとも１つの発光デバイスから放射される光を１つ又は複数の制御信号を用いて制御するための照光制御装置であって、
前記照光制御装置は、
前記少なくとも１つの発光デバイスから放射される照明効果光を生成するための、第１のユーザに関連付けられた光制御入力データを受信するための照光入力受信デバイスと、
第２のユーザの生理又は認知状態に関連付けられたデータを受信するためのユーザデータ受信デバイスと、
前記光制御入力データ、及び前記第２のユーザの生理又は認知状態に関連付けられた前記データに基づいて前記１つ又は複数の制御信号を生成するためのプロセッサと、
前記１つ又は複数の制御信号を出力する照光制御出力ユニットと、を備える、
照光制御装置。
【請求項２】
前記少なくとも１つの発光デバイスが照光空間内に配置されており、
前記照光制御装置が、前記照光空間内における前記第２のユーザの存在を指示するデータを受信し、
前記プロセッサが、前記指示するデータに更に基づいて前記１つ又は複数の制御信号を生成する、
請求項１に記載の照光制御装置。
【請求項３】
前記光制御入力データは、前記少なくとも１つの発光デバイスからの第１の光出力状態に関連付けられ、
前記１つ又は複数の制御信号は前記少なくとも１つの発光デバイスからの第２の光出力状態に関連付けられ、前記第１の光出力状態は前記第２の光出力状態とは異なる、
請求項１又は２に記載の照光制御装置。
【請求項４】
前記少なくとも１つの発光デバイスが、複数の異なる光出力状態を出力し、
前記光制御入力データが前記光出力状態の第１の範囲内の光出力状態に対応し、
前記プロセッサが、前記１つ又は複数の制御信号を、光出力状態の第２の範囲内の１つ又は複数の光出力状態に対応するように生成し、前記第２の範囲は前記第１の範囲とは異なり、
前記プロセッサが、前記光制御入力データを、前記第２の範囲内の光出力状態に対応するように変更し、
変更された前記光制御入力データを用いて前記１つ又は複数の制御信号を生成するか、
又は、
前記光制御入力データが前記第２の範囲内の光出力状態に対応する場合にのみ、前記光制御入力データを用いて１つ又は複数の前記制御信号を生成する、
請求項１乃至３のいずれか一項に記載の照光制御装置。
【請求項５】
前記プロセッサは、前記第２のユーザの生理又は認知状態に関連付けられた前記データに基づいて所定の制御情報を選択し、
選択された前記所定の制御情報を用いて前記１つ又は複数の制御信号を生成する、
請求項１乃至３のいずれか一項に記載の照光制御装置。
【請求項６】
前記プロセッサが、前記第２のユーザの生理又は認知状態に関連付けられた前記データに基づいて制御情報の所定のセットにアクセスし、
前記光制御入力データに基づいて前記所定のセットから前記制御情報を選択し、
選択された前記制御情報を用いて前記１つ又は複数の制御信号を生成する、
請求項１乃至３のいずれか一項に記載の照光制御装置。
【請求項７】
前記照光制御出力ユニットが、前記１つ又は複数の制御信号を、複数の発光デバイスを備える照光制御ネットワークへ出力する、
請求項１乃至６のいずれか一項に記載の照光制御装置。
【請求項８】
請求項１乃至７のいずれか一項に記載の照光制御装置を備えるシステムであって、
前記第２のユーザ上に着用され、
前記第２のユーザの生理又は認知状態を監視し、
前記第２のユーザの生理又は認知状態に関連付けられた前記データを前記ユーザデータ受信デバイスへ出力するウェアラブルデバイスを更に備える、
システム。
【請求項９】
前記光制御入力データに関連付けられる前記第１のユーザからの入力要求を受け取り、
前記光制御入力データを前記照光入力受信デバイスへ出力する、光制御入力デバイスを更に備える、
請求項８に記載のシステム。
【請求項１０】
前記少なくとも１つの発光デバイスを更に備える、
請求項８又は９に記載のシステム。
【請求項１１】
少なくとも１つの発光デバイスから放射される光を１つ又は複数の制御信号を用いて制御するための方法であって、前記方法は、
少なくとも１つの前記発光デバイスから放射される照明効果光を生成するための、第１のユーザに関連付けられた光制御入力データを受信するステップと、  第２のユーザの生理又は認知状態に関連付けられたデータを受信するステップと、
プロセッサを用いて、前記光制御入力データ及び生理又は認知状態データに基づいて前記１つ又は複数の制御信号を生成するステップと、
前記１つ又は複数の制御信号を前記少なくとも１つの発光デバイスへ出力するステップとを含む、
方法。
【請求項１２】
前記１つ又は複数の発光デバイスが照光空間内に配置されており、前記方法は、
前記照光空間内における前記第２のユーザの存在を指示するデータを受信するステップと、
前記指示するデータに更に基づいて前記１つ又は複数の制御信号を生成するステップとを含む、
請求項１１に記載の方法。
【請求項１３】
前記光制御入力データは、前記少なくとも１つの発光デバイスからの第１の光出力状態に関連付けられ、
前記１つ又は複数の制御信号は前記少なくとも１つの発光デバイスからの第２の光出力状態に関連付けられ、前記第１の光出力状態は前記第２の光出力状態とは異なる、
請求項１１又は１２に記載の方法。
【請求項１４】
前記少なくとも１つの発光デバイスは、複数の異なる光出力状態を出力し、前記光制御入力データは前記光出力状態の第１の範囲内の光出力状態に対応し、前記方法は、
前記１つ又は複数の制御信号を、前記光出力状態の第２の範囲内の１つ又は複数の光出力状態に対応するように生成するステップであって、前記第２の範囲は前記第１の範囲とは異なる、生成するステップと、
前記光制御入力データを、前記第２の範囲内の光出力状態に対応するように変更し、
変更された前記光制御入力データを用いて前記１つ又は複数の制御信号を生成するステップ、
又は、
前記光制御入力データが前記第２の範囲内の光出力状態に対応する場合にのみ、前記光制御入力データを用いて前記１つ又は複数の制御信号を生成するステップ、
のうちのいずれか１つ又は複数を含む、
請求項１１乃至１３のいずれか一項に記載の方法。
【請求項１５】
前記第２のユーザの生理又は認知状態に関連付けられた前記データに基づいて所定の制御情報を選択するステップと、
選択された前記所定の制御情報を用いて前記１つ又は複数の制御信号を生成するステップと、を更に含む、
請求項１１乃至１３のいずれか一項に記載の方法。
【発明の詳細な説明】
【技術分野】
【０００１】
本発明の技術分野は、発光デバイスによって放射される光を制御することに関する。具体的には、本発明の技術分野は、照光制御ネットワーク内の複数の発光デバイスから放射される光を入力データを用いて制御することに関する。
【背景技術】
【０００２】
人々は光に関して異なる好み及びニーズを有することがよくある。これらのニーズは個人的なものであり得る。例えば、人は、光シーン内に特定の色を有することを好む。ニーズは、追加的に、又は代替的に、例えば、眠い、覚醒している、又は光によって影響され得る特定の気分であるという、人体の生物学的状態に関連し得る。光への曝露は、睡眠覚醒リズムを調節するホルモンメラトニンの産生に影響を及ぼし得ることが知られている。研究（Ｂｏｙｃｅ  ＰＲ．Ｈｕｍａｎ  Ｆａｃｔｏｒｓ  ｉｎ  Ｌｉｇｈｔｉｎｇ．２ｎｄ  ｅｄｉｔｉｏｎ，Ｌｉｇｈｔｉｎｇ  Ｒｅｓｅａｒｃｈ  Ｃｅｎｔｅｒ，Ｔａｙｌｏｒ  ａｎｄ  Ｆｒａｎｃｉｓ  ｇｒｏｕｐ  Ｌｏｎｄｏｎ  ａｎｄ  Ｎｅｗ  Ｙｏｒｋ，２００３）により、人々を昼間に明るい光に曝露させることによって、彼らの覚醒状態を高めることができることが示されているが、また、例えば、夜勤者のために、人々を夕刻に明るい光に曝露させると、睡眠覚醒リズムをシフトさせることもできる（Ｂｏｍｍｅｌ  ＷＪＭ  ｖａｎ，Ｂｅｌｄ  ＧＪ  ｖａｎ  ｄｅｎ．Ｌｉｇｈｔｉｎｇ  ｆｏｒ  ｗｏｒｋ：ａ  ｒｅｖｉｅｗ  ｏｆ  ｖｉｓｕａｌ  ａｎｄ  ｂｉｏｌｏｇｉｃａｌ  ｅｆｆｅｃｔｓ．Ｌｉｇｈｔｉｎｇ  Ｒｅｓ．Ｔｅｃｈｎｏｌ．，２００４．３６：２５５−２６９）。
【０００３】
これらの好み又はニーズは、１つの世帯内に住んでいるか、又は空間を共有する個人ごとに異なり得る。住宅がより小さくなる潮流とともに、１つの空間内のユーザ数が増大し、好みが衝突するリスクを拡大させている。
【０００４】
ユーザが、所与の空間、例えば、部屋の内部における多様な照光条件及び挙動を制御し、提供することを可能にする、連結された照光システムが存在する。このようなシステムは通例、中央照光制御装置と通信し、それを介して制御可能である、少なくとも１つ、多くの場合、複数の、発光デバイスを有する。中央照光制御装置が、今度は、ネットワーク内の発光デバイスを制御するためのユーザからの入力を受け入れる能力を有する。いくつかのシステムは、複数のユーザからの複数の光制御入力を受け入れる能力を有する。
【０００５】
したがって、連結された照光システムは非常に多様な光条件を提供し得るが、これにより、ユーザ入力の好みが両立しない可能性が増大する。
【０００６】
連結された照光システムの一例が特許文献国際公開第２０１０１４３０８９（Ａ１）号に記載されている。この文献は、制御可能な照光ネットワークに適用可能な個人的好みを自動的に導出し、変更するためのシステム及び方法を記載している。一態様では、システムは、ユーザのための識別子を検出する認識モジュールと、ユーザによって要求される少なくとも１つの制御可能な照光ネットワークに対する複数の調整と、複数の調整の各々に対応するコンテクストとを有する。推論エンジンが、複数の調整及び対応するコンテクストを分析して、複数の調整とコンテクストとの間の相関を特定し、特定された相関に基づいて関連ユーザの識別子に関連付けられた少なくとも１つの個人的好みの規則を作成する。国際公開第２０１０１４３０８９（Ａ１）号はまた、第２のユーザの基準に基づいて１人のユーザの個人的好みの規則を調整するための方法も記載している。本方法では、個人的好みの規則、及び基準の第１のセットが第１のユーザのために特定される。個人的好みの規則は尤度値を有し、ユーザによって要求された制御可能な照光ネットワークに対する複数の調整の間の相関に基づいて作成される。また、複数の調整のためのコンテクストも特定される。本方法はまた、少なくとも１人の第２のユーザのための基準の第２のセットを特定し、基準の第１のセットを基準の第２のセットと比較する。本方法は、その後、比較に基づいて個人的好みの規則の尤度値を調整し、個人的好みの規則をユーザ識別子とともに好みデータベース内に記憶する。
【発明の概要】
【発明が解決しようとする課題】
【０００７】
照光を制御するための異なる基準のセットを利用するこのような知られたシステムにもかかわらず、人々の照光のニーズ又は好みは基準の単一の既定のセットにならない場合があり、現在の生理状態及び／又は認知挙動を含む多数の因子に依存して変化し得る。更に、システムにとって新たなユーザが、制御された照光ネットワークを利用した空間に入ってくるか、又は他の態様でその中にいる時に、彼らの照光ニーズに関連付けられた個人的好み又は基準をまだ全く入力していない場合がある。したがって、このような新たなユーザは既存の照光システムによって彼らの照光ニーズを考慮され得ない。
【０００８】
本発明は、上述された問題を実質的に緩和又は克服する、少なくとも１つの発光デバイスから放射される光を制御するための照光制御装置及び方法を提供することを目的とする。
【課題を解決するための手段】
【０００９】
第１の態様によれば、少なくとも１つの発光デバイスから放射される光を１つ又は複数の制御信号を用いて制御するための照光制御装置であって、この装置は、第１のユーザに関連付けられた光制御入力データを受信するための照光入力受信デバイスと、第２のユーザの生理又は認知状態に関連付けられたデータを受信するためのユーザデータ受信デバイスと、光制御入力データ、及び第２のユーザの生理又は認知状態に関連付けられたデータに基づいて１つ又は複数の制御信号を生成するためのプロセッサと、１つ又は複数の制御信号を出力するように構成された照光制御出力ユニットと、を備える照光制御装置が提供される。
【００１０】
したがって、照光制御装置は、発光デバイスを制御するために、ユーザの１つ（又は複数）の生理及び／又は認知状態に関連付けられたデータを、別のユーザに関連付けられた所望の入力光データと併せて用いる。光制御入力データがユーザから入力され、別のユーザの気分又は生理状態に合わない照光効果を生むように設定された場合には、このとき、装置は、発光デバイス／群へ送信される制御信号を、これを考慮するように変更する。この装置の別の利点は、装置がユーザの照光ニーズを考慮するために、ユーザが必ずしも自分の照光の好みを手動で入力する必要がないことである。本開示の装置によって管理されている部屋の中の「新たな」人は、この新たなユーザが身に付けたウェアラブル監視デバイスなどの、監視デバイスによって、「睡眠中」として検出される。監視デバイスが睡眠中の認知／生理データを装置へ自動的に送信した場合には、装置は、ユーザが照光の好みを手動で入力することを全く必要とすることなく、光の明るさを下げるための制御信号を送信する。
【００１１】
第１の態様は、限定するものではないが、以下の構成のうちの任意の１つ又は複数を含む、本明細書に開示されているとおりの任意の好適な仕方で変更される。
【００１２】
１つ又は複数の発光デバイスが照光空間内に配置されており、装置が、照光空間内における第２のユーザの存在を指示するデータを受信するように構成されており、プロセッサが、指示するデータに更に基づいて１つ又は複数の制御信号を生成するように構成されているように、装置が構成されている。
【００１３】
指示データは、装置が、生理又は認知状態は誰に対応するのか、及び部屋の中における複数の人々の存在を決定することを可能にする。これが今度は、装置が、発光デバイスへ送信される制御信号に優先順位をつけるか、又はそれらを決定することを可能にする。例えば、生理又は認知状態データが、生まれたばかりの子供に対応する場合には、このとき、発光デバイスへ送信される制御信号は、同じ生理又は認知状態データが大人からのものであった場合とは異なる必要がある。指示データはまた、例えば、そのユーザ又はユーザプロファイルのための生理又は認知状態データに対して許容／両立できる照光効果の範囲の指示を含むユーザプロファイルを含んでもよく、又はそれを参照してもよい。
【００１４】
光制御入力データは、少なくとも１つの発光デバイスからの第１の光出力状態に関連付けられ、１つ又は複数の制御信号は少なくとも１つの発光デバイスからの第２の光出力状態に関連付けられる。第１の光出力状態は第２の光出力状態とは異なる。
【００１５】
初めに要求されたのとは異なる光出力状態を生じさせる制御信号を出力できることによって、装置は、照光要求を、別のユーザの生理又は認知状態を考慮するように変更し得る。
【００１６】
少なくとも１つの発光デバイスが、複数の異なる光出力状態を出力するように構成されており、光制御入力データが光出力状態の第１の範囲内の光出力状態に対応し、プロセッサが、１つ又は複数の制御信号を、光出力状態の第２の範囲内の１つ又は複数の光出力状態に対応するように生成するように構成されており、第２の光出力状態範囲は第１の光出力状態範囲とは異なり、プロセッサが、光制御入力データを、第２の光出力状態範囲内の光出力状態に対応するように変更し、変更された光制御入力データを用いて１つ又は複数の制御信号を生成するか、又は光制御入力データが第２の光出力状態範囲内の光出力状態に対応する場合にのみ、光制御入力データを用いて１つ又は複数の制御信号を生成するように構成されているように、装置が構成されている。
【００１７】
したがって、装置は、制御信号の出力範囲を、ユーザの生理又は認知状態を考慮するように変更する。例えば、生理状態データが、同じ部屋の中で人が睡眠していることを指示した場合には、光が元の要求強度の１０％までのみ点灯されることを可能にする。装置は、光制御入力データ値を、限定された光制御範囲に対応する制御信号値に変換する。したがって、光制御データを入力するユーザは照光の可変性を依然として制御し得るが、それは、同じ環境内にいる別のユーザの生理又は認知状態に受け入れられる程度までに限られる。代替的に、装置は、光制御入力データの要求が、生理又は認知状態データによって規定された受け入れ可能な照光領域内にある場合にのみ、光制御入力データが制御信号内に実行されることを許す。例えば、ユーザは、赤色、青色及び緑色の色相が部屋の異なる区域内で出力されることを要求する照光制御入力データを装置へ提示する。装置は、生理又は認知状態データが、別の人が昂進状態になっていると決定していることを理由に、緑色及び青色の色相が出力されることのみ許す。
【００１８】
プロセッサは、第２のユーザの生理又は認知状態に関連付けられたデータに基づいて所定の制御情報を選択し、選択された所定の制御情報を用いて１つ又は複数の制御信号を生成するように構成されている。
【００１９】
生理又は認知状態に関連付けられた所定の制御情報に基づく制御信号を用いることによって、ユーザは、自分が特定の気分又は活動状態になっている時には、既知の照光効果が出力されることを確実にすることが可能になる。これは、照光効果に敏感であり、特定の状態になっている時には、特定の照光条件のみが出力されることを知っておきたい人たちのために特に重要であり得る。例えば、ユーザは、自分が睡眠時に完全な暗闇を常に必要とすることを知っている場合があり、そのため、ユーザがこの状態になっている時には、所定の制御信号は０の光強度を有するべきである。
【００２０】
プロセッサが、第２のユーザの生理又は認知状態に関連付けられたデータに基づいて制御情報の所定のセットにアクセスし、光制御入力データに基づいて所定のセットから制御情報を選択し、選択された制御情報を用いて１つ又は複数の制御信号を生成するように構成されているように、装置が構成されている。
【００２１】
生理又は認知状態に関連付けられた制御信号の所定のセットを用いることは、ユーザが、既知の数の照光効果が出力され得ることを確実にすることを可能にする。これは、照光効果に敏感であり、特定の状態になっている時には、特定の照光条件群のみが出力されることを知っておきたい人たちのために特に重要であり得る。例えば、ユーザは、自分が、ストレスを受けた状態になっている時には、青色又は緑色の光を常に必要とすることを知っている場合がある。別のユーザが部屋に入り、赤色及び青色の光が放射されることを要求する。装置は要求を所定のセットと比較し、青色光を放射するための制御信号のみを選択／送信する。
【００２２】
照光制御出力ユニットが、１つ又は複数の制御信号を、複数の発光デバイスを備える照光制御ネットワークへ出力するように構成されているように、装置が構成されている。
【００２３】
装置に、複数の発光デバイスを有する照光制御ネットワークを制御させることによって、装置は、ユーザの生理又は認知状態により相応に適合し得る様々な照光効果（例えば、異なる強度、色相及び空間照光構成）を出力することができる。
【００２４】
また、第１の態様において（及び／又は本明細書の他所において）説明されている装置を備えるシステムであって、このシステムは、第２のユーザに着用され、第２のユーザの生理又は認知状態を監視し、第２のユーザの生理又は認知状態に関連付けられたデータをユーザデータ受信デバイスへ出力するように構成されたウェアラブルデバイスを更に備える、システムが提供される。
【００２５】
ウェアラブルデバイスを用いてユーザの生理又は認知状態を監視し、生理又は認知状態データを遠隔装置へ伝送することは、装置が、照光空間内に既存の監視装置を必要とすることなく、所与の空間内における複数の人々を効率的に監視することを可能にする。更に、各ウェアラブルデバイスは、ユーザ識別子を提出するために用いることができ、それにより、装置は、誰が照光空間内にいるかを決定し、したがって、どのように制御信号を出力するべきかを決定する単純な仕方を有する。
【００２６】
システムは、光制御入力データに関連付けられる第１のユーザからの入力要求を受け取ることと、光制御入力データを照光入力受信デバイスへ出力することとを行うように構成された光制御入力デバイスを更に備える。
【００２７】
データを装置へ送信することができる照光制御入力デバイスを有することは、システムが装置を都合の良い場所に配置し、その一方で、入力デバイスをユーザのために好適な場所に位置付けることを可能にする。
【００２８】
システムは少なくとも１つの発光デバイスを備える。
【００２９】
第２の態様によれば、少なくとも１つの発光デバイスから放射される光を１つ又は複数の制御信号を用いて制御するための方法であって、本方法は、第１のユーザに関連付けられた光制御入力データを受信するステップと、第２のユーザの生理又は認知状態に関連付けられたデータを受信するステップと、プロセッサを用いて、光制御入力データ及び生理又は認知状態データに基づいて１つ又は複数の制御信号を生成するステップと、１つ又は複数の制御信号を少なくとも１つの発光デバイスへ出力するステップとを任意の順序で有する方法が提供される。
【００３０】
したがって、本方法は、発光デバイスを制御するために、ユーザの１つ（又は複数）の生理及び／又は認知状態に関連付けられたデータを、別のユーザに関連付けられた所望の入力光データと併せて用いる。光制御入力データがユーザから入力され、別のユーザの気分又は生理状態に合わない照光効果を生むように設定された場合には、このとき、本方法は、発光デバイス／群へ送信される制御信号を、これを考慮するように変更する。本方法の別の利点は、装置がユーザの照光ニーズを考慮するために、ユーザが必ずしも自分の照光の好みを手動で入力する必要がないことである。本方法に従って管理されている部屋の中の「新たな」人は、新たなユーザが身に付けたウェアラブル監視デバイスなどの、監視デバイスによって、「睡眠中」として検出される。監視デバイスが睡眠中の認知／生理データを提供した場合には、本方法は、ユーザが照光の好みを手動で入力することを全く必要とすることなく、ライトの明るさを下げるための制御信号を送信する。
【００３１】
第２の態様は、限定するものではないが、以下の構成のうちの任意の１つ又は複数を含む、本明細書に開示されているとおりの任意の好適な仕方で変更される。
【００３２】
１つ又は複数の発光デバイスが照光空間内に配置されており、本方法は、照光空間内における第２のユーザの存在を指示するデータを受信するステップと、指示するデータに更に基づいて１つ又は複数の制御信号を生成するステップとを有する。
【００３３】
指示データは、本方法が、生理又は認知状態は誰に対応するのか、及び部屋の中における複数の人々の存在を決定することを可能にする。これが今度は、本方法が、発光デバイスへ送信される制御信号に優先順位をつけるか、又はそれらを決定することを可能にする。例えば、生理又は認知状態データが、生まれたばかりの子供に対応する場合には、このとき、発光デバイスへ送信される制御信号は、同じ生理又は認知状態データが大人からのものであった場合とは異なる必要がある。
【００３４】
光制御入力データは、少なくとも１つの発光デバイスからの第１の光出力状態に関連付けられ、１つ又は複数の制御信号は少なくとも１つの発光デバイスからの第２の光出力状態に関連付けられる。第１の光出力状態は第２の光出力状態とは異なる。
【００３５】
初めに要求されたのとは異なる光出力状態を生じさせる制御信号を出力できることによって、本方法は、照光要求を、別のユーザの生理又は認知状態を考慮するように変更し得る。
【００３６】
少なくとも１つの発光デバイスは、複数の異なる光出力状態を出力するように構成され、光制御入力データは光出力状態の第１の範囲内の光出力状態に対応し、本方法は、１つ又は複数の制御信号を、光出力状態の第２の範囲内の１つ又は複数の光出力状態に対応するように生成するステップであって、第２の光出力状態範囲は第１の光出力状態範囲とは異なる、生成するステップと、光制御入力データを、第２の光出力状態範囲内の光出力状態に対応するように変更し、変更された光制御入力データを用いて１つ又は複数の制御信号を生成するステップ、又は光制御入力データが第２の光出力状態範囲内の光出力状態に対応する場合にのみ、光制御入力データを用いて１つ又は複数の制御信号を生成するステップのうちのいずれかとを有する。
【００３７】
したがって、本方法は、制御信号の出力範囲を、ユーザの生理又は認知状態を考慮するように変更する。例えば、生理状態データが、同じ部屋の中で人が睡眠していることを指示した場合には、光が元の要求強度の１０％までのみ点灯されることを可能にする。本方法は、光制御入力データ値を、限定された光制御範囲に対応する制御信号値に変換する。したがって、光制御データを入力するユーザは照光の可変性を依然として制御し得るが、それは、同じ環境内にいる別のユーザの生理又は認知状態に受け入れられる程度までに限られる。代替的に、本方法は、光制御入力データの要求が、生理又は認知状態データによって規定された受け入れ可能な照光領域内にある場合にのみ、光制御入力データが制御信号内に実行されることを許す。例えば、ユーザは、赤色、青色及び緑色の色相が部屋の異なる区域内で出力されることを要求する照光制御入力データを提出する。本方法は、生理又は認知状態データが、別の人が昂進状態になっていると決定していることを理由に、緑色及び青色の色相が出力されることのみ許す。
【００３８】
本方法は、第２のユーザの生理又は認知状態に関連付けられたデータに基づいて所定の制御情報を選択するステップと、選択された所定の制御情報を用いて１つ又は複数の制御信号を生成するステップと、を更に有する。
【００３９】
生理又は認知状態に関連付けられた所定の制御情報に基づく制御信号を用いることによって、ユーザが、自分が特定の気分又は活動状態になっている時には、既知の照光効果が出力されることを確実にすることが可能になる。これは、照光効果に敏感であり、特定の状態になっている時には、特定の照光条件のみが出力されることを知っておきたい人たちのために特に重要であり得る。例えば、ユーザは、自分が睡眠時に完全な暗闇を常に必要とすることを知っている場合があり、そのため、ユーザがこの状態になっている時には、所定の制御信号は０の光強度を有するべきである。
【００４０】
本発明の諸実施形態のこれら及び他の態様は、以下において説明される諸実施形態から明白であり、それらを参照して明らかにされる。
【００４１】
次に、添付の図面を参照して本発明の諸実施形態を例としてのみ説明する。
【図面の簡単な説明】
【００４２】
【図１】照光制御装置の概略図を示す。
【図２】少なくとも１つの発光デバイスから放射される光を制御するための方法の概略図を示す。
【図３】複数の発光デバイスを制御するために用いられる照光制御装置の一実施例を示す。
【図４】複数の発光デバイスを制御するために用いられる照光制御装置の別の実施例を示す。
【図５】照光制御装置を用いた部屋の概略図を示す。
【発明を実施するための形態】
【００４３】
図１は、１つ又は複数の制御信号６を用いて少なくとも１つの発光デバイス４から放射される光を制御するように構成された照光制御装置２の概略図を示す。装置２は、第１のユーザに関連付けられた光制御入力データ８を受信するための１つ又は複数の照光入力受信デバイス３を備える。装置２はまた、第２のユーザの生理又は認知状態に関連付けられたデータ１０を受信するための１つ又は複数のユーザデータ受信デバイス５を備える。光制御入力データ８を受信するための１つ又は複数の照光入力受信デバイス３は、ユーザの生理又は認知状態に関連付けられたデータ１０（本明細書において、「状態」データと呼ばれる場合もある）を受信するための１つ又は複数のユーザデータ受信デバイス５とは異なるデバイスである。代替的に、１つ又は複数の照光入力受信デバイス３は、１つ又は複数のユーザデータ受信デバイス５と同じデバイス／群である。即ち、同じ受信デバイス又はデバイス群が、光制御入力データ８及び状態データ１０の両方を受信するように構成されている。
【００４４】
通例、光制御入力データ８は、第１のユーザによって（例えば、壁上の光設定入力デバイス３０を介して）入力される照光要求の形を取るが、原理的に、データ８は他の手段を介して入力され、これは、第１のユーザの存在を検出する１つ又は複数のセンサを介することを含み、この場合には、センサデータが、入力データ８を装置２に提供するために用いられる。このような入力データ８は、例えば、照光制御空間に入ってくる任意のユーザに関連付けられた標準光設定、第１のユーザのデフォルトの照光の好み、或いは第１のユーザの生理又は認知状態から決定された光設定のうちの任意のものである。第１のユーザからのジェスチャを検出するためのセンサが用いられ、検出されたジェスチャに関連付けられたセンサデータが、光制御入力データ８を決定するために用いられる。ジェスチャは、四肢、又は体の他の部分の運動、例えば、手を振ること、或いは第１のユーザの頭を横に振ること又は縦に振ることを含んでもよい。センサは運動を検出し、運動データを、ジェスチャ、及び装置２に入力されるべき適切な照光制御データ８を決定するジェスチャ処理ユニットへ送信する。
【００４５】
装置２はまた、光制御入力データ８、及び生理又は認知状態データ１０に基づいて、１つ又は複数の制御信号６を生成するために用いられるプロセッサ１２を備える。制御信号６を生成すると、装置２は、照光制御出力ユニット７を用いて１つ又は複数の制御信号６を少なくとも１つの発光デバイス４へ出力する。プロセッサ１２は、対応する複数のユーザからの複数の状態データ１０に更に基づいて制御信号６を生成する。光制御出力ユニット７は、制御信号を発光デバイス／群４へ出力するための任意の好適なデバイス、又はデバイスのセットであり、通信機器２４を含む。装置の通信機器２４に言及される本明細書に記載されている例のうちのいくつかにおいて、これは、原理的に、制御信号を発光デバイス４へ出力することができる任意の種類の光制御出力ユニット７である。
【００４６】
プロセッサ１２、データ８、１０を受信するためのデバイス３、５、及び照光制御出力ユニット７などの装置２の構成要素は、単一の制御デバイス内に共同配置されている。代替的に、構成要素、又は構成要素のグループは互いに遠隔に配置されている。例えば、データ８、１０を受信するためのデバイス、及び照光制御出力ユニット７は単一の制御ユニット内に共同配置されており、その一方で、プロセッサ１２は制御ユニットから離れて遠隔に配置されている（クラウド内のプロセッサなど）。
【００４７】
１つ又は複数の照光入力受信デバイス３は、原理的に、限定するものではないが、ユーザインターフェース、第１のユーザが光制御要求を入力する入力デバイス３０、このようなユーザインターフェース又は入力デバイス３０への有線若しくは無線接続を通じてデータ８を受信する１つ又は複数の通信デバイス２８のうちの任意の１つ又は複数を含む任意のデバイスである。装置の通信デバイス２８に言及される本明細書に記載されている例のうちのいくつかにおいて、これは、原理的に、任意の種類の照光入力受信デバイス３である。
【００４８】
同様に、１つ又は複数のユーザデータ受信デバイス５は、原理的に、限定するものではないが、同じ回路に接続された状態監視デバイスから状態データ１０を受信する電子回路に結合された電子デバイス、同じ回路に結合された更なるプロセッサから状態データ１０を受信する電子回路に結合された電子デバイス（この場合、更なるプロセッサは１つ又は複数の更なるデータ片（生データなど）を処理し、状態データ１０を決定する）、更なるデバイスへの有線若しくは無線接続を通じて状態データ１０を受信する１つ又は複数の通信デバイス２８のうちの任意の１つ又は複数を含む、任意のデバイスである。更なるデバイスは、限定するものではないが、状態データ１０を生成する監視デバイス又は更なる処理デバイスのうちの任意の１つ又は複数である。
【００４９】
第１のユーザからの光制御入力データ８を受信するために用いられる１つ又は複数の通信デバイス２８は、第２のユーザの生理又は認知状態に関連付けられたデータ１０を受信するために用いられる１つ又は複数の通信デバイス２８と同じであってもよく、又は異なっていてもよい。
【００５０】
装置２は好ましくは、建物の部屋の内部などの、照光制御空間内のユーザからの状態データ１０を受信及び／又は処理するように構成されている。しかし、照光制御空間はまた、建物内の複数の部屋を含んでもよく、この場合には、装置２は、例えば、複数の部屋にわたる、又は建物全体内のネットワーク内で接続された発光デバイスを制御するために適している。これらのネットワーク化された光システムの多くは、ネットワークコントローラ又はブリッジと通信無線でモバイルデバイス上のグラフィカルユーザインターフェース又はアプリを介して動作させることができ、それゆえ、建物の任意の部屋の中の任意の場所の中から、建物の任意の他の部屋の中にある任意の発光デバイスのための光制御入力データ８が受信され得る。例示的な使用事例では、第１のユーザ（例えば、親）が、１つの部屋（例えば、居間）の中から、別の部屋（例えば、勉強部屋）の中の照光のスイッチを切りたいと思うが、第２のユーザ（例えば、子供）がまだその部屋の中におり、彼の生理又は認知状態が、彼が勉強中であり、したがって、光を必要としていることを指示していたことに気付かずにいる場合がある。
【００５１】
照光制御空間は、原理的に、限定するものではないが、事前に定義されていること、静的であること（即ち、制御空間は、異なる状態データ１０及び／又は照光制御データ８の入力とともに経時的に変化しない）、動的であること（即ち、制御空間は、異なる状態データ１０及び／又は照光制御データ８、並びに／或いは２つの部屋をつなぐ不透明の扉の開放などの制御空間に影響を与える他のデータの入力とともに経時的に変化することができる）、発光デバイス４の辺りの１つ又は複数の場所における光強度の閾値を用いて決定されること（例えば、大きなオープンプランの部屋は、少なくとも１つの発光デバイス４によって直接照明されない隅の周囲にいるユーザからの状態データ１０を考慮しない）、のうちの任意の１つ又は複数を含む任意の方法又は技法を用いて定義又は決定され得る。
【００５２】
ユーザが制御空間内に入ってきたか、又は依然として現在その中にいるかどうかの決定は、任意の好適な仕方で決定され得る。一例では、１人又は複数のユーザの存在を指示するデータが装置２へ送信される。装置は、このユーザの指示に基づいて制御信号を生成する。これは、例えば、このような指示データが受信された時にのみ信号を生成することである。
【００５３】
ユーザの存在の決定は、限定するものではないが、ユーザの存在を検出するためのセンサ／検出器（可視光若しくは赤外光センサ、運動センサ、床圧力センサ、音響検出器、又はマイクロフォン三角法システムなどの検出システム等）、ユーザが所持しているデバイスから装置２へのユーザ識別子の入力の成功（ユーザデバイスが装置２までの特定の通信近接度以内にあることを指示する）のうちの任意の１つ又は複数を用いることを含み得る。このようなセンサ及び検出器は制御空間の辺りの固定位置に配置されている。追加的に、又は代替的に、センサ／検出器のうちの１つ又は複数は、制御空間内のモバイルデバイス、例えば、Ｂｌｕｅｔｏｏｔｈ（登録商標）通信を用いて他のユーザの携帯電話が近くに存在することを検出する、人の携帯電話上に配置されている。検出器は、例えば、光制御入力デバイス３０（ライトスイッチなど）のすぐそばにいる第１のユーザ、及びベッドのすぐそばにいる第２のユーザの存在を決定する。このような状況において、装置２は、光制御入力データが受信されることを予想し、ベッド上のユーザの確度の高い生理状態を考慮するために、来るべき入力データに適用するべき照光規則を発動させる。代替的に、同じセンサ情報を所与として、装置は、ライトスイッチに近づく人を検出すると、「状態データ１０取得」信号を送出し、それにより、装置は、所望の照光入力が入力される前に他のユーザから最新の状態データ１０を得ることができる。
【００５４】
装置２内への状態データ１０の入力は、限定するものではないが、装置２から、各々の検出されたユーザに関連付けられたデバイス（ユーザの状態監視デバイス、又は監視デバイスと通信するモバイルデバイスなど）へ一斉送信されるか、又は直接送信される状態データ１０の要求、制御空間内における新たなユーザの検出、装置２が照光シーンに何らかの変更を行う前に、他のユーザの他の状態データ１０の要求を生じさせる、制御空間内にいる少なくとも１人のユーザの状態の変化のアップロードのうちの任意の１つ又は複数を含む種々の仕方によって開始され得る。追加的に、又は代替的に、状態データ１０は、ユーザに関連付けられたデバイス、例えば、状態データ１０を装置へ定期的に伝達するか、又はユーザ状態の変化の検出若しくは決定時に伝達するウェアラブル状態監視デバイス又はその他のモバイルデバイスによって、装置２へ自動的に伝達される。
【００５５】
一例では、ユーザ検出方法は、ｉＢｅａｃｏｎ（登録商標）と同様のシステムを用いる。
【００５６】
一例では、１つ又は複数のセンサが照光制御空間の辺りの固定位置に配置されている。センサは、任意の新たなユーザの存在を確立するため、及び制御空間内のどの既存のユーザが依然としてそこにいるかを知るための信号を定期的に送出する。ユーザのモバイルデバイス又はウェアラブルデバイスが、このような信号を探すためのソフトウェアを実行する。センサからの信号、例えば、センサＩＤは、モバイル又はウェアラブルが装置２と通信し、それゆえ、その後、状態データ１０を装置２へアップロードすることが可能になるための通信命令を含んでもよい。本例における装置２は、照光制御入力データ８及び状態データ１０を受信するための通信デバイス２８と、制御信号を生成するためのプロセッサ１２と、制御信号６を発光デバイス４へ出力するための照光制御出力ユニット７とを備える、通信ブリッジなどの、中央制御ユニットである。
【００５７】
センサ／群とモバイルデバイス又はウェアラブルとの間で信号が確立されると、装置２は、ａ）モバイルデバイスが装置２との接触を開始すること、又はｂ）センサが、モバイル／ウェアラブルから返ってくる通信を受信し、次に、モバイル又はユーザの詳細をセンサから装置２へ転送することを介して、新たなユーザを認識するようになる。
【００５８】
図２は、少なくとも１つの発光デバイス４から放射される光を制御するための方法１４の概略図を示す。方法１４は、第１のユーザに関連付けられた光制御入力データ８を受信するステップ１６と、第２のユーザの生理又は認知状態に関連付けられたデータを受信するステップ１８と、プロセッサ１２を用いて、光制御入力データ８及び生理又は認知状態データ１０に基づく１つ又は複数の制御信号６を生成するステップ２０と、１つ又は複数の制御信号６を少なくとも１つの発光デバイス４へ出力するステップ２２と、を有する。方法１４は好ましくは、本明細書に記載されている装置２によって実行される。
【００５９】
照光制御装置２は、発光デバイス４を制御するために、１人のユーザの生理又は認知状態に関連付けられたデータ１０、及び別のユーザから発出した所望の光制御入力データ８を用いる。このデータは、監視デバイスからの生データ、生データ及び／又は他のデータ源を用いて推論された生理又は認知状態データ、或いは後述されるとおりの履歴データのうちの任意のものである。第１のユーザからの光制御入力データ８が、第２の（又は更なる）ユーザの気分又は生理状態に合わない照光効果を生むように設定された場合には、このとき、装置２は、発光デバイス／群４へ送信される制御信号６を、これを考慮するように変更する。例えば、光を最大限の明るさまで点灯せよとの要求が装置２に入力される。しかし、生理状態データ１０は、同じ部屋の中にいる別のユーザが、ストレスを受けた状態になっていることを指示する。したがって、装置２は、光を最大限の明るさで出力するが、ストレスを受けた人のために、心を落ち着かせる色相（例えば、アンバーホワイト色）を放射するための制御信号６を生成し、それらを発光デバイス４へ送信する。
【００６０】
装置２又は方法１４は、原理的に、家庭照光、商業施設、病院及び介護施設を含む任意の数のシナリオ又は場所において用いられ得る。
【００６１】
本明細書に記載されている照光制御装置２の実施例はいずれもシステムの一部を形成し得る。システムは１つ又は複数の発光デバイス４を備える。発光デバイス４及び装置２は、少なくとも、装置２からの信号を発光デバイス４へ送信するために構成された相補的な通信機器２４を有する。照光制御出力ユニット７は通信機器２４を備える。追加的に、又は代替的に、システムはまた、照光制御空間内におけるユーザの存在を検出するように構成された１つ又は複数のセンサを備える。追加的に、又は代替的に、システムはまた、生理又は認知状態データ１０を装置２へ提供するように構成された１つ又は複数の監視デバイス２６を備える。監視デバイス２６及び装置２は、少なくとも、監視デバイス２６からの信号を装置２へ送信するために構成された相補的な通信機器２８を有する。追加的に、又は代替的に、システムはまた、光制御入力データ８を装置２へ提供するように構成された１つ又は複数の入力デバイス３０を備える。入力デバイス３０及び装置２は、少なくとも、入力デバイス３０からの信号を装置２へ送信するために構成された相補的な通信機器２８を有する。上述されたように、監視デバイス２６と通信するための装置２の通信機器２８は、入力デバイス３０と通信するための装置２の通信機器２８と同じであってもよく、又はそれとは異なってもよい。本明細書に記載されている通信機器／デバイスはいずれも、通信信号を伝送し、受信もするように構成され得る。このような機器２４、２８の一例は、ＲＦ無線通信デバイスこのような無線伝送器及び受信器である。
【００６２】
照光制御装置
装置２は、１つ又は複数の既定の照光原則に基づいて照光シーン又は方式を設計／構成するために用いられる照光制御コンフィギュレータを備える。照光制御コンフィギュレータは、原理的に、必要とされる照光シーンを作り出すために１つ又は複数の異なる様式で動作し得る。原理は、データが入力され、照光シーンに関する情報が出力される、照光規則及び／又は計算式、並びに／或いはコンピュータプログラムを含む任意の形を取り得る。照光シーンに関するこのデータは、次に、制御信号を生成するために用いてもよく、又は制御信号そのものになってもよい。コンフィギュレータは、１つ又は複数の認知及び／又は身体状態に関連付けられた入力データにのみ基づいて照光シーンを決定する。追加的に、又は代替的に、コンフィギュレータは、出力照光シーンを決定するために他のデータ入力を用いる。
【００６３】
コンフィギュレータは、１つ又は複数の記憶された既定の照光原則のデータベースを有し、各照光原則は、１つ又は複数の認知及び／又は身体状態に関連付けられたデータに関連付けられている。既定の照光原則及び関連状態データは任意の好適な方法によって入力され、記憶され得る。既定の照光原則のためのデータを入力する一例は、ユーザが１つ又は複数の認知及び／又は身体状態を選択し、前記状態、又は状態の組み合わせを、１つ又は複数の既定の原則のセットにリンクすることである。別の例では、ユーザは、１つ又は複数の認知及び／又は身体状態を選択し、前記状態、又は状態の組み合わせをアクション又は特定のシーンにリンクすることができる。アクションは、原理的に、より多くのユーザ状態データの要求の開始、又は特定の照光シーンの出力の遅延を含む、任意のアクションであることができる。別の例では、コンフィギュレータは、既知の認知又は身体状態を好適な照光シーン又は挙動にリンクさせる１つ又は複数のデフォルト挙動へのアクセスを有する。
【００６４】
コンフィギュレータは、装置のプロセッサ１２と別個の処理ハードウェアを備えてもよく、又はプロセッサ１２によって（例えば、ソフトウェアアプリケーションによって）実行されるプロセスであってもよい。シーンが設計されると、シーンを実現するための関連制御信号が照光制御出力ユニット７から出力される。シーンは、１つ又は複数の光源４を用いて形成される。光シーンは静的又は動的である（例えば、時間的に変化し、及び／又はコンフィギュレータへ提供される更なるデータ入力に対して変化する）。例えば、嗜眠状態の人々又は覚醒度の低い人々に活力を与えるのを助けるために、青色光シーンが選定される。ストレスを受けた人々をリラックスさせるために、暖色が用いられる。静かな環境内で会話を促すのを助けるために、赤色の色相が用いられる。抑鬱の徴候を示している人の気分を改善するために、緑色及び青色の色が用いられる。１人のユーザからの状態データ１０が照光シーンの変更の必要を指示する一例では、コンフィギュレータは他のユーザの好ましい照光シーンを用いる。これは、例えば、シーンが、装置２において最近受信されたものと同様の状態データ１０に関連付けられている場合にある。
【００６５】
別の例では、装置２は、経時的に、常に同じデバイスではない。即ち、構成要素の第１のセットが装置２の役割を果たし、その後、照光制御の動作を構成要素の別のセットへ移譲する。例えば、制御空間内にあるユーザのモバイルデバイスが最初は装置２となり、「モバイルハブ」の役割を果たす。このモバイルデバイスはまた、他のユーザデバイスを検出するための感知動作を遂行する。どのモバイルデバイスがハブの役割を果たすのかは、任意の好適な仕方で選定される。ユーザが、部屋、又はその他の制御された照光空間内に入る最初の人である場合には、このとき、部屋の中の１つ又は複数の固定デバイス（通信機器２４を有する発光デバイス４など）が、新たに入ってきたモバイルデバイスとの通信を開始し、通信が確立されると、そのモバイルが、装置の機能の全てを遂行するバックグラウンド内で単純なソフトウェアルーチンを実行するハブになる。別の例では、新たなモバイルデバイスが部屋の中に入ってくると、既存のモバイル上のソフトウェアアプリケーションがこの新たなモバイルデバイスを検出し、それが、ハブの役割を果たすためにより良好な位置にあるかどうかを調べ、ハブ制御を移譲するか、又は同じデバイスによるハブ制御を維持することができる。ハブモバイルデバイスが部屋を出た場合には、元のモバイルハブと照光デバイス４との間の信号が弱くなると、ハブモバイルデバイスは制御及び照光履歴データを他のモバイルデバイスへ（例えば、通常の携帯電話通信チャネルを通じて）移譲する。
【００６６】
光制御データ及び入力デバイス
光制御入力データ８は、限定するものではないが、発光デバイス４が点灯若しくは消灯されるか、又は０と最大限の明るさとの間の様々な照明強度レベルで放射することを要求するデータ、及び、１つ又は複数の色相の光の放射を要求するデータなどの、照光制御装置２を通じて制御可能である１つ又は複数の発光デバイス４の制御に関連付けられたデータを含む。
【００６７】
光制御入力データ８は入力デバイス３０を介して入力される。入力デバイス３０は、光制御ソフトウェアを実行する、人の携帯電話など、ユーザに関連付けられている。入力デバイス３０は、ユーザ識別子を光制御装置２へ伝送するように構成されている。ユーザ識別子は、光制御入力データ８が装置２へ送信されるように要求したユーザの識別に関連付けられた情報を包含する。ユーザ識別子は、装置２のプロセッサ１２によって、そのユーザによる照光システムの許容可能な制御の範囲を決定するためにアクセスされる、ユーザプロファイルデータを含むか、又は（例えば、装置２のメモリ３２内に記憶された）ユーザプロファイルへの参照を含む。ユーザプロファイルは、例えば、第１のユーザが照光を制御することができる場所に対する制限、第１のユーザが発光デバイスを用いて設定することが許される光効果に対する制限、第１のユーザによって制御可能な発光デバイスの種類に対する制限などを含む。このようなデータは、光制御入力データ８に基づく１つ又は複数の制御信号６を生成するプロセスにおいて用いられ、データは、第２のユーザの生理又は認知状態、及び第１のユーザのプロファイルデータに関連付けられる。
【００６８】
入力デバイス３０は、原理的に、照光制御装置２から空間的に分離された遠隔入力デバイス３０、又は装置２上、若しくはその内部に配置された入力デバイス３０を含む、任意のデバイスである。遠隔入力デバイス３０は、限定するものではないが、ユーザ入力要求を受信し、ユーザ入力要求を処理し、光制御入力データ８を照光制御装置２へ出力する能力を有するモバイルデバイスである。モバイルデバイスは、例えば、モバイルデバイスに機能させるように構成された１つ又は複数の計算要素を包含するタブレット又はラップトップなどの携帯電話又はモバイルコンピュータである。モバイルデバイスはまた、ユーザデータ入力機構（タッチスクリーン、キーボード又はその他のユーザインターフェースなど）、及び光制御入力データ８を照光制御装置２へ転送するための通信装置２８を有する。遠隔入力デバイスはまた、１つ又は複数のソフトウェアアプリケーションを実行するように構成される。
【００６９】
遠隔入力デバイス３０の別の例は、照光制御装置２及び／又は発光デバイス４に対する１つ又は複数の位置において固定可能であるように構成された静的入力デバイスである。静的入力デバイスは、限定するものではないが、支持構造体（壁など）に取り付けられたタッチパネル又はライトスイッチのうちの任意のものである。ライトスイッチの一例は、Ｐｈｉｌｉｐｓ  Ｈｕｅ  Ｔａｐ  Ｐｅｒｓｏｎａｌ  Ｗｉｒｅｌｅｓｓ  Ｌｉｇｈｔｉｎｇ（登録商標）Ｓｍａｒｔ  Ｓｗｉｔｃｈである。
【００７０】
上述のモバイルデバイス、照光制御装置２、及び任意選択的に入力デバイス３０は、本明細書に説明されているそれぞれの必要とされる動作を遂行するように構成された１つ又は複数のプロセッサを備える。より一般的には、これらのデバイスは、限定するものではないが、ハードウェア、ソフトウェア及び／又はファームウェアを含む任意の好適な計算要素を有し得る。ハードウェア、ソフトウェア及び／又はファームウェアは、原理的に、それぞれのデバイス及び装置２のコンピュータ処理要求事項を遂行するために適した任意の種類のものであるか、又は任意の構成を取り得る。このような計算要素は、少なくとも１つ又は複数のデータプロセッサ１２及び少なくとも１つのメモリデバイス３２を含んでもよい。計算要素は、１つ又は複数のコントローラ、データ入力デバイス、表示デバイス、又は通信デバイス２４、２８などの１つ又は複数の周辺デバイスを更に含んでもよい。メモリ要素３２は、電子データ及び／又は電子コンピュータプログラム命令を記憶するために用いられる揮発性又は不揮発性メモリデバイスである。コンピュータプログラム命令は電磁搬送波信号を介して届くか、或いはコンピュータプログラム製品、不揮発性電子メモリデバイス（例えば、フラッシュメモリ）、又はＣＤ−ＲＯＭ若しくはＤＶＤなどの記録媒体などの物理エンティティからコピーされる。通例、プロセッサ（単数又は複数）１２は揮発性メモリ及び不揮発性メモリ３２の両方に結合されている。コンピュータプログラムは通例、不揮発性メモリ内に記憶されており、プロセッサ（単数又は複数）によって、データ、或いはデータ及び命令の一時記憶のための揮発性メモリを用いて実行される。揮発性メモリの例としては、ＲＡＭ、ＤＲＡＭ、ＳＤＲＡＭなどが挙げられる。不揮発性メモリの例としては、ＲＯＭ、ＰＲＯＭ、ＥＥＰＲＯＭ、フラッシュメモリ、光記憶装置、磁気記憶装置などが挙げられる。用語「メモリ」、「メモリデバイス」は、本明細書において使用される時、文脈が別途示唆しない限り、主として、不揮発性メモリ及び揮発性メモリの両方を含むメモリに関連することが意図されている。ただし、これらの用語はまた、１つ又は複数の揮発性メモリのみ、１つ又は複数の不揮発性メモリのみ、或いは１つ又は複数の揮発性メモリ及び１つ又は複数の不揮発性メモリをも包括する。
【００７１】
発光デバイス
照光制御装置２は、１つ又は複数の発光デバイス４を制御するように構成されている。装置２が２つ以上の発光デバイス４を制御する場合には、デバイス４は光制御ネットワークの一部を形成してもよい。用語「ネットワーク」は、本明細書において使用する時、任意の２つ以上のデバイス２、４の間、及び／又はネットワークに結合された複数のデバイス２、４の中における、（例えば、デバイス制御、データ記憶、データ交換などのための）情報の移送を促進する２つ以上のデバイス４（照光制御装置２を含む）の任意の相互接続を指す。複数のデバイス２、４を相互接続するために適したネットワークは任意のネットワークトポロジを含み、任意の好適な通信プロトコルを採用し得る。２つのデバイス２、４の間の任意の１つの接続は、その２つのデバイス２、４の間の専用接続、又は代替的に、非専用接続を表す。２つのデバイス２、４のために意図された情報を伝えることに加えて、このような非専用接続は、２つのデバイス２、４の両方のために必ずしも意図されていない情報を伝えてもよい（例えば、オープンネットワーク接続）。本明細書において説明されているデバイスのネットワークは、ネットワーク全体にわたる情報移送を促進するために、１つ又は複数の無線、ワイヤ／ケーブル、及び／又は光ファイバリンクを採用する。
【００７２】
発光デバイス４は、それらの光放射を、照光制御装置２から送信される制御信号６（通例、電気信号）によって制御させるように構成されている。発光デバイスは、制御信号６を受信し、制御信号６に従ってそれらの現在の光放射を維持するか、又は変更するように構成された通信装置２４を備える。通信装置２４の例としては、限定するものではないが、無線ＲＦ通信などの無線又は有線通信チャネルをサポートするデバイスが挙げられる。この通信機器２４は、代替的に、発光デバイス４とは独立しているが、それに関連付けられており、例えば、発光デバイス４に接続された無線受信器又は送受信器である。発光デバイス４及び照光制御装置２は、ＺｉｇＢｅｅなどの、制御信号を送信及び受信するための任意の好適な形式の通信プロトコルを利用し得る。発光デバイス４と照光制御装置２との間の通信形式の別の例は、電力線通信（Ｐｏｗｅｒ−Ｌｉｎｅ  Ｃｏｍｍｕｎｉｃａｔｉｏｎ、ＰＬＣ）を用いることである。発光デバイス４は、装置２からの制御信号６を受信し、制御信号６を用いて発光デバイス４を駆動する中間制御機器に接続される。この中間制御機器は発光デバイス４に物理的に結合されているか、又は発光デバイス４から遠隔にある（即ち、それから分離している）。
【００７３】
発光デバイス４は１つ又は複数の光放射源を有する。発光デバイス４の例としては、限定するものではないが、室内灯、電球、ＬＥＤライト、及び光ディスプレイなどのモバイルデバイス上の発光装置が挙げられる。照光制御装置２によって制御される典型的な電球の一例は、複数のＬＥＤを包含する無線ＬＥＤ電球である。複数のＬＥＤは全て、実質的に同じ出力波長スペクトルを有してもよく、又は異なるＬＥＤのうちの少なくとも２つが異なる波長スペクトル範囲を出力する複数のＬＥＤであってもよい。発光デバイス４は、２つの独立した光源、例えば、アップライト及びダウンライトを有するＰｈｉｌｉｐｓ「Ｈｕｅ  Ｂｅｙｏｎｄ」ランプなどの、複数の光源を備える。
【００７４】
照光制御装置２によって制御される発光デバイス４又は複数の発光デバイス４は、波長範囲（色相の変更に対応する）、出力光強度、及び波長又は光強度の時間変動（即ち、光をパルス的に出力する）などの、様々な異なる光出力パラメータに従って制御される。発光デバイス４によって放射される光は原理的に任意の波長範囲を含み得るが、通例、明所視に対応する人間の可視スペクトル内の波長範囲を包括することになる（即ち、３９０〜７００ｎｍの波長又は波長範囲を出力する）。
【００７５】
複数の発光デバイス４が照光制御装置２によって制御される時に、各デバイス４は、制御されるデバイス４の全てからの結合光放射が特定のニーズに合わせて調整されるよう、特定の波長範囲及び／又は強度を出力するように制御される。
【００７６】
ユーザの生理又は認知状態に関連付けられたデータ
ユーザの生理又は認知状態に関連付けられたデータ１０は、人体の１つ又は複数の生理又は認知状態に関連付けられた任意のデータである。
【００７７】
生理状態は、限定するものではないが、覚醒状態、睡眠状態又は段階（例えば、入眠、ＲＥＭ睡眠及び非ＲＥＭ睡眠、浅い眠り、深い眠り）を含んでもよい。
【００７８】
認知状態は、限定するものではないが、意識、無意識及び精神状態を含んでもよい。精神状態は、限定するものではないが、ストレス状態を含んでもよい。
【００７９】
データ１０は、次にユーザの生理又は認知状態を決定するために用いることができる、監視デバイスから出力されるデータである。これは「生」データと呼ばれる。生データは、生理状態のためのバイオマーカを指示又は提供し、その状態から、その後、認知状態が決定される。
【００８０】
追加的に、又は代替的に、データ１０は、生理又は認知状態を詳述／記述する実際のデータである。これはまた、「推論データ」と呼ばれる。「推論データ」を決定するために、１つ又は複数の生データ片が用いられる。「推論データ」の決定はまた、生データが測定された時刻などの、監視デバイスからの生データ以外のデータ源によって決定される。
【００８１】
生理状態は、例えば、人間の自律神経系の動作から生じる状態である。認知状態に関連付けられたデータ１０は、特定の心理状態、心理活動及び／又は心理過程を指示するデータである。データ１０は、データ１０に関連付けられたユーザの識別の指示とともに照光制御装置２へ送信される。
【００８２】
いくつかの認知状態及び生理状態は互いに関連付けられている。例えば、生理的な覚醒状態は、精神的なストレスを受けた状態と同様の、皮膚コンダクタンスの変化、及び心拍の増加を生じさせる。
【００８３】
これらの状態に関連付けられたデータ１０は、センサデバイスなどの任意の好適な監視機器から得られる。監視機器は、ユーザの脈拍数、又はユーザがどのぐらい温かいかを検出する撮像装置（例えば、可視光又はＩＲカメラ）など、ユーザから遠く離れて配置されていてもよい。このような監視機器は通例、限定するものではないが、腕時計、ウェストバンド、又はスマート衣服など、ユーザによって着用された監視デバイス２６上に配置されている。これらのセンサは、限定するものではないが、光センサ、脈拍数モニタ、血圧モニタ、運動センサ（加速度計など）、皮膚温度センサ、電気皮膚反応を測定する皮膚コンダクタンスセンサを含む生体インピーダンスセンサの１つ又は複数の組み合わせを含む。
【００８４】
センサが何を測定し得るのかの例としては、限定するものではないが、以下のものが挙げられる。加速度計は、睡眠検出、及び身体運動などの他の身体活動の検出のために用いられ得る。光センサは、周辺光のレベル、又は心拍数などのユーザの他の身体測定値を検出するために用いられ得る。生体インピーダンスセンサは、次に覚醒レベル及び／又は気分を決定／推定するために用いられ得る、心拍数、呼吸、電気皮膚反応を測定するために用いられ得る。
【００８５】
センサの各々は、ユーザの特定の生理又は認知状態を決定又は算出するために用いることができるデータを出力する。推論された状態を決定するために、複数のセンサデータの示数が用いられる。例えば、ユーザの活性生理状態は、脈拍数モニタからの信号に加えて、人が現在運動していることを指示する加速度計信号を用いて決定される。それらの信号は、総合して、検出された運動が活動的な形態の運動であることを指示する。人の睡眠状態は、低いユーザ活動性を指示する脈拍数モニタ及び／又は加速度計、並びに低い光レベルを指示するユーザに近接した光センサからのデータによって決定される。覚醒期間中の人の状態は、ウェアラブルデバイスが夜間に（即ち、睡眠時に）着用されている場合には、ウェアラブルデバイスによって測定されることが可能である、睡眠の質から推論することができる。人のストレスを受けた状態は、血圧モニタ、脈拍モニタ、及び電気皮膚反応を監視するセンサのうちの任意の１つ又は複数からの信号を用いて推論される。
【００８６】
状態、例えば、現在の状態はまた、少なくとも、ユーザの１つ若しくは複数の以前の履歴的な推論された状態、及び／又は１つ若しくは複数の以前の生データ測定値から推論される。この以前のデータはまた、履歴データと呼ばれる。現在の状態は、複数の生データ測定値を調査することによって決定される。生データ測定値のうちの少なくとも２つは、状態の決定より前の異なる時間において取得される。追加的に、又は代替的に、現在の状態は、複数の以前に決定された状態によって決定される。推論された状態はまた、他のデータ源からの他の非生理データから得ることもできる。
【００８７】
例えば、何度も目が覚めたために睡眠が途切れがちになり、十分に深い眠りを取らなかった人を例に取る。人が目を覚ました睡眠期間中の時点は、加速度計を有するウェアラブル監視デバイスなどの監視デバイスによって検出されることが可能である。デバイスは、睡眠中における人の運動を監視し、身体運動がいつ発生したのか、及びその期間はどのぐらいの間、発生したのかを確かめることができる。この生データは記憶媒体内に記憶される。
【００８８】
睡眠期間の後に、デバイスは、睡眠期間中に収集された生データを分析することによって、人の睡眠が途切れがちであったと決定することができる。この分析は、途切れの回数、途切れの継続時間、及び途切れの大きさ（即ち、検出された身体運動の程度）のうちの任意のものを比較することができる。分析は、人が最近、夜ぐっすり眠ったか否かを判定するために、過去数日の睡眠履歴を更に追加する。人の最近の睡眠の性質／質を決定した後に、装置２又はシステムは、人がもっと早く起床すること、又は（例えば、人が夜ぐっすり眠った場合には必要ない）睡眠慣性を回避することを助け得る照光シーン又は方式を作動させることによって、対処する。
【００８９】
本例では、途切れがちであった夜間睡眠を決定するために、夕刻どのぐらい遅くまで近くのＴＶがついていたかを指示するデータ、夜中における複数回の冷蔵庫若しくは扉の開放、又はトイレの使用などの、他のノイズを生み出す活動を指示するデータなどの、他の発信源からの追加のデータが用いられる。
【００９０】
１つ又は複数のセンサによって提供されるデータは照光制御装置２へ直接送信されてもよく、又は照光制御装置２によって受信される前に処理されてもよい。ユーザの状態は、装置２のプロセッサ１２を用いて、又は腕時計などの、ウェアラブル監視デバイス２６などの遠隔デバイスによって決定される。監視デバイス２６は、センサデータを処理し、ユーザの生理又は認知状態を決定するための（本明細書の他所において説明されているものと同様の）ハードウェア及びソフトウェアを備える。
【００９１】
監視デバイス２６は、ユーザの携帯電話などの、モバイルデバイスのインターフェースとなり、それと通信するように構成されている。監視デバイス２６はセンサ測定データをモバイルデバイスへ送信する。モバイルデバイスは、測定されたデータを処理し、ユーザの生理及び／又は認知状態を決定し、今度は、状態データ１０を照光制御装置２へ伝送する。このようなデータ処理は、モバイルデバイス上で実行する１つ又は複数のソフトウェアプログラムを用いて遂行される。
【００９２】
装置２は、近くの監視デバイス２６によって受信されるべき１つ又は複数の一斉送信信号であって、監視デバイス２６に、最新の生理的／認知データを送信するように要求し、及び／又は監視デバイス２６に、ユーザの必要な生理的／認知的測定を行い、適切なデータを装置２へ送信するように命令する、信号を連続的又は定期的に送出する。
【００９３】
動作
装置２は、発光デバイス４へ送信される制御信号６を生成するか、又は適合させるために、ユーザの特定の状態に関する規則を用いる。
【００９４】
制御信号６を生成するためにプロセッサ１２によって用いられる規則はいずれも、照光制御空間のサイズ、発光デバイス４の位置、及び／又は発光デバイス４に対する監視デバイス２６を着用したユーザの近接度に関するデータを考慮する。このようなデータは装置２にとってすでにアクセス可能になっていてもよく（例えば、メモリデバイス３２上にロードされている）、又は生理若しくは認知状態データ１０が装置２へ伝送される時に装置２へ伝送されてもよい。例えば、「睡眠中」データが、ユーザ識別子及びユーザの場所と一緒に装置２へ送信される。プロセッサが、ユーザの場所が発光デバイス４の「効果」の外側である（例えば、制御空間の外側である）と特定した場合には、プロセッサはこの特定の生理又は認知状態データ１０を無視する。
【００９５】
生の測定データは、入力された光の要求が、部屋の中にいる者たちにとって受け入れ可能な光出力にどのように変更されるべきであるかを直接決定するために用いられる。生データを、特定の規則又は照光方式を選択するために使用させること、或いは、例えば、光出力を、入力された生（又は集約）データに関係付ける計算式中で使用させることのいずれかによってである。１つの種類の規則は、「制約制御」又は「制約」規則として知られている。制約規則は多数の仕方で実施される。この種の規則は、特定の状態又は状態の変更が検出された場合に、光制御を制限する。
【００９６】
例えば、状態「睡眠中」が検出された場合には、光強度は、１０％を超えるように設定することができない。この規則を実施するために、装置２は、発光デバイス４に、最大達成可能明るさの０〜１００％の強度を出力するように命令する信号範囲などの、第１の制御信号範囲内の１つ又は複数の制御信号を出力するように初めに構成可能である。次に、装置は、ユーザの生理又は認知状態に関連付けられたデータ１０に基づいて第２の制御信号範囲を決定する。例えば、状態「睡眠中」が受信された場合には、制御信号が制約される第２の（変更された）制御信号範囲は、可能な光強度の０〜１０％の第１の制御信号範囲の部分になる。
【００９７】
特定の規則が実施される時に、装置２は、１つ又は複数の光制御入力データ値８を、第２の制御信号範囲内の値に対応するように変更することを含む、多数の仕方で光制御データ８を出力制御信号６に関係付ける。例えば、強度制約規則が有効である時には、１００％の強度の光入力制御値８は１０％の強度の出力制御信号６に変更され、それに対して、２５％の強度の光入力制御値８は２．５％の強度の出力制御信号に対応する。このように、光制御データ８を入力するユーザは照光の可変性を依然として制御するが、それは、同じ環境内にいる別のユーザの生理又は認知状態に受け入れられる程度までに限られる。この規則は、光制御入力データ８を、光を駆動するために用いられるスケールされた出力制御データ６に変更する（増加又は減少させる）ための１つ又は複数のスケーリング係数を用いる。１つの制約規則は、出力光強度の範囲が制限される「抑制（ｃａｐｐｅｄ）」規則である。例えば、誰かが「睡眠中」である場合には、強度は０〜１０％に制限される。１０％を上回る光強度値はいずれも１０％に自動的に抑制される。別の例は、誰かが勉強中であり、「活発に活動中」の生理状態が測定された場合には、このとき、光出力範囲は８０〜１００％に制限されるというものである。８０％よりも低い値は８０％において抑制される。また、色範囲が制約される。制約は、詳細設定された照光シーンを作るために、積み重ねられ、複合される。
【００９８】
別の制約規則は、状態が検出されるか、又は状態の変化が検出された場合に、値を変更することができない、固定又は「静的」規則である。例えば、「活発に活動中」状態が推論された場合には、光の色は変更することができず、色温度、例えば、６０００Ｋに固定される。
【００９９】
複合光シーンを出力するランプのグループのためには、単一の個々の光源ではなく、全体的なシーンが制約される。
【０１００】
原理的に、装置２によって受信された光制御入力データ８は、（明るさ及び色などの任意の数の光出力変数に関連し得る）特定の所望の光出力状態に関連付けられる。装置２によって発動させられた規則は、この要求が、出力されないか、要求が光出力状態の受け入れ可能な範囲内であったため、出力されるか、又は要求された照光出力状態を規則に従うように変更させる（例えば、率に応じて増加若しくは減少させるか、若しくは抑制させる）ことによって、出力されるという結果をもたらす。
【０１０１】
一例では、装置２は、光制御入力データ８の要求が、生理又は認知状態データ１０によって規定された受け入れ可能な照光領域内である場合にのみ、光制御入力データ８が制御信号６内に受け入れられる（又は通過させられる）ことを許す。例えば、人が昂進状態になっており、赤色の光を見るべきでないことを指示する生理又は認知状態データ１０が受信されたために、「赤色無し」の色相制約規則が有効になっている。別の人が、赤色、青色及び緑色の色相が部屋の異なる区域内で出力されることを要求する照光制御入力データ８を装置２内へ提出する。このとき、装置２は、緑色及び青色の色相を放射させる出力制御信号６のみを許す。
【０１０２】
別の種類の規則は、「デフォルト状態」として知られている場合がある。この種の規則は、特定の状態が検出された場合、及び／又は状態の変化が検出された時に、所定の光設定（例えば、ユーザによって作られた設定）を用いる。例えば、覚醒から睡眠への状態の変化が検出された場合には、このとき、所定の挙動、例えば、光を１０％に落とすこと、が作動される。
【０１０３】
この規則を用いて動作する時、装置２は、ユーザの生理又は認知状態に関連付けられたデータ１０に基づいて所定の制御信号６を選択し、前記所定の制御信号６を発光デバイス４へ出力するように構成されている。生理又は認知状態に関連付けられた所定の制御信号を用いることによって、ユーザが、自分が特定の気分又は活動状態になっている時には、既知の照光効果が出力されることを確実にすることが可能になる。これは、照光効果の変化に非常に敏感であり、特定の生理又は認知状態になっている時には、特定の照光条件のみが出力されることを知っておきたい人たちのために特に重要であり得る。例えば、ユーザは、自分が睡眠時に完全な暗闇を常に必要とすることを知っている場合があり、そのため、ユーザがこの状態になっている時には、所定の制御信号は０の光強度を有するべきである。
【０１０４】
所定の情報は装置２内のメモリデバイス３２上に保持されてもよく、又は別の記憶デバイスから装置２へ伝送されてもよい。所定の情報はユーザによって入力されてもよく、又は装置２によって生成されてもよい（例えば、ユーザの照光方式履歴を調査することによってデフォルト状態を生成する）。
【０１０５】
図３は照光制御装置２の一実施例を示す。装置２は、プロセッサ１２、メモリ３２、制御信号を発光デバイス４のネットワークへ送信するための通信デバイス２４、及び複数の遠隔デバイス２６、３０からのデータを受信するための通信デバイス２８を備える。
【０１０６】
本例において示される遠隔デバイス２６、３０は、異なるユーザによって各々着用された２つのウェアラブル監視デバイス２６、及び光制御入力データ８を装置２へ送信するための入力デバイス３０を含む。本例における入力デバイス３０は、ユーザが異なる照光方式を要求することを可能にする壁設置ライトスイッチである。図５は、この状況を描写する部屋の概略図を示す。ここでは、装置２は床上に配置されており、壁スイッチ３０、２つの発光デバイス４（１点の家具上の第１のランプ、及び天井に付いた第２の頭上のランプ）、及び２つの手首着用監視デバイス２６（一方は、立っている人３４によって着用されており、他方は、ソファの上で睡眠している人３６によって着用されている）と無線通信する。別のユーザ３８が照光要求を壁設置スイッチ３０上に入力している。
【０１０７】
装置２は、監視デバイス２６を着用した２人のユーザ３４、３６からの生理状態データ１０を受信する。ウェアラブル監視デバイス２６は生理データ１０とともにユーザ識別子を送信する。プロセッサ１２は生理データ１０の両方のセットを分析し、一方の監視デバイス２６からのデータ１０は、一方のユーザ３４が活性状態であり、覚醒していることを指示しているが、それに対して、他方の監視デバイス２６からのデータ１０は、ユーザ３６が睡眠中であることを指示しているため、「最大５％までのみの光強度」の制約制御規則が実施されるべきであると決定する。第３のユーザ３８は、壁設置スイッチ３０を用いて１００％の強度の緑色の光の要求を入力する。このとき、プロセッサ１２は、緑色の光を最大可能明るさの５％で放射するための、発光デバイス４のネットワークへ送信するべき制御信号６を生成する。
【０１０８】
代替例では、光制御データ８を入力するユーザ３８は、表示スクリーンを有する携帯電話などの、ユーザインターフェースを有するデバイス３０を用いる。「最大５％までの光強度」の制約規則の使用を決定すると、装置２は、別の人３６が同じ部屋の中で睡眠中であるため、光は最大５％の明るさまでしか設定することができないとの情報を第３のユーザ３８に対して表示するための情報をモバイルデバイスへ送り返す。
【０１０９】
図４は、図３の例と同様の照光制御装置２の別の実施例を示す。図４における実施例はまた、装置２によって制御可能な更なるモバイル発光デバイス４０を示す。このモバイル発光デバイス４０はユーザの携帯電話である。本例における装置２は、装置２と電話４０との間の１つ又は複数の通信を通じて、発光デバイス４０は携帯電話であると認識し、制御信号６を、モバイルデバイスの限られた高強度光出力能力を考慮するように適合させる。図３において説明されたのと同じシナリオにおいて、装置２はまた、電話が名目上出力することができる全強度の５０％の緑色の表示スクリーン光のみを出力するための制御信号６をこのモバイルデバイス４０へ送信する。
【０１１０】
用語「〜を備える（ｃｏｍｐｒｉｓｉｎｇ）」は他の要素又はステップを除外せず、不定冠詞「ａ」又は「ａｎ」は複数を除外しないことが理解される。単一のプロセッサが、請求項に記載されているいくつかの項目の機能を果たし得る。特定の方策は、相互に異なる従属請求項に記載されているという事実のみをもって、これらの方策の組み合わせを有利に用いることができないことが指示されるわけではない。請求項内の参照符号はいずれも、請求項の範囲を限定するものと解釈されるべきではない。
【０１１１】
本出願において、請求項は特徴の特定の組み合わせに編成されたが、本発明の開示の範囲はまた、本明細書において開示されている任意の新規の特徴、又は特徴の任意の新規の組み合わせをも明示的又は暗黙的に含むか、或いはそれらの任意の一般化をも含み、これは、それが、任意の請求項において目下クレームされているのと同じ発明に関連するか否か、及びそれが親発明と同じ技術的問題のいずれか又は全てを緩和するか否かにかかわらないことを理解されたい。出願人らは、本出願、又はこれに由来する任意の更なる出願の手続き処理の間に、新たな請求項がこのような特徴及び／又は特徴の組み合わせに編成され得ることをここに予告する。
【図１】
2018514912.tif 000003
【図２】
2018514912.tif 000004
【図３】
2018514912.tif 000005
【図４】
2018514912.tif 000006
【図５】
2018514912.tif 000007
【国際調査報告】
2018514912.tif 000008
2018514912.tif 000009